(57)【要約】【課題】複数の通信機器をＩＥＥＥ１３９４シリアルバスでネットワーク接続しているシステムにおいて、アイソクロナス・リソースの無駄な獲得を防止することができるネットワークシステムを提供する。【解決手段】複数の通信機器２０６が、ＩＥＥＥ１３９４シリアルバスの通信機能部２０２と、アイソクロナス転送通信周期伝達機能部２０３と、アイソクロナス転送通信周期取得機能部２０５とを併せ備えるようにした。【選択図】    図５
2004193797.tif 000002
【特許請求の範囲】
【請求項１】
ＩＥＥＥ１３９４シリアルバスの通信機能部と、アイソクロナス転送通信周期伝達機能部とを併せ備えることを特徴とする通信機器。
【請求項２】
ＩＥＥＥ１３９４シリアルバスの通信機能部と、アイソクロナス転送通信周期取得機能部とを併せ備えることを特徴とする通信機器。
【請求項３】
請求項１記載の通信機器および請求項２記載の通信機器とを併せ備えることを特徴とする通信機器。
【請求項４】
さらに、アイソクロナス転送タイミング受領機能部を併せ備えることを特徴とする請求項１〜３のいずれか１項記載の通信機器。
【請求項５】
受領タイミングでのアイソクロナス転送機能部を併せ備えることを特徴とする請求項４記載の通信機器。
【請求項６】
さらに、アイソクロナス転送タイミング通知機能部を併せ備えることを特徴とする請求項１〜５のいずれか１項記載の通信機器。
【請求項７】
通信機器グループ分類機能部を併せ備えることを特徴とする請求項６記載の通信機器。
【請求項８】
複数の通信機器がＩＥＥＥ１３９４シリアルバスでネットワーク接続され、かつ前記複数の通信機器に少なくとも１台の請求項５の通信機器の特徴を備える通信機器と少なくとも１台の請求項７の通信機器の特徴を備える通信機器と少なくとも１台のアイソクロナス・リソース・マネージャ機能部を有する通信機器と少なくとも１台のサイクル・マスタ機能部を有する通信機器とを含むネットワークにおいて、
請求項７記載の通信機器が、請求項５記載の通信機器のアイソクロナス転送の通信周期を取得することを特徴とするネットワークシステム。
【請求項９】
請求項８記載のネットワークシステムにおいて、請求項７記載の通信機器が、請求項５記載の通信機器から取得したアイソクロナス転送の通信周期を基に幾つかのグループに分類することを特徴とするネットワークシステム。
【請求項１０】
請求項９記載の特徴を備えるネットワークシステムにおいて、
アイソクロナス・リソース・マネージャ機能部を有するいずれか１台の通信機器がアイソクロナス・リソース・マネージャとなり、
請求項７記載の通信機器が、請求項５記載の通信機器がアイソクロナス転送するために必要なアイソクロナス・リソースをアイソクロナス・リソース・マネージャから一括して獲得することを特徴とするネットワークシステム。
【請求項１１】
請求項１０の特徴を備えるネットワークにおいて、
サイクル・マスタ機能部を有するいずれか１台の通信機器がサイクル・マスタとなり、
請求項７記載の通信機器が、請求項５記載の通信機器にアイソクロナス転送のタイミングを通知することと、
請求項５記載の通信機器が通知されたアイソクロナス転送のタイミングでアイソクロナス転送を行なうこととを、
特徴とするネットワークシステム。
【発明の詳細な説明】
【０００１】
【発明の属する技術分野】本発明は、ＩＥＥＥ１３９４シリアルバスの通信機能を備える通信機器と、複数の通信機器がＩＥＥＥ１３９４シリアルバスでネットワーク接続されたネットワークにおいて、アイソクロナス・リソースを共有するネットワークシステムに関する。
【０００２】
【従来の技術】
従来技術では、ＩＥＥＥ１３９４シリアルバス規格（非特許文献１参照）では、アイソクロナス転送をするのに必要なアイソクロナス・チャンネルとアイソクロナス帯域とからなるアイソクロナス・リソースはアイソクロナス・リソース・マネージャが管理し、アイソクロナス転送を行いたい通信機器は自身でアイソクロナス・リソース・マネージャからアイソクロナス・リソースを獲得してから、アイソクロナス転送を行なっていた。アイソクロナス・リソースの管理は使用するか使用しないかで行なわれるため、ＩＥＥＥ１３９４シリアルバス規格（非特許文献１参照）で定められた一般にアイソクロナス転送周期と呼ばれる特定間隔より長い通信周期でアイソクロナス転送を行なう通信機器が確保したアイソクロナス・リソースは、前記特定間隔毎に見ると使用されないことがあった。
【０００３】
【非特許文献１】
ＩＥＥＥ  Ｓｔｄ  １３９４−１９９５，  ＩＥＥＥ  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ
【０００４】
図１１は従来のネットワークシステムの構成例である。
３０１の通信機器Ａは３０２のＩＥＥＥ１３９４シリアルバス通信機能部を備え、３０３の通信機器Ｂは３０４のＩＥＥＥ１３９４シリアルバス通信機能部と、ＩＥＥＥ１３９４シリアルバス規格（非特許文献１参照）で定められた３０５のアイソクロナス・リソース・マネージャ機能部と、ＩＥＥＥ１３９４シリアルバス規格（非特許文献１参照）で定められた３０６のサイクル・マスタ機能部とを備え、３０７の通信機器Ｃは３０８のＩＥＥＥ１３９４シリアルバス通信機能部を備えている。
３０２のＩＥＥＥ１３９４シリアルバス通信機能部と３０４のＩＥＥＥ１３９４シリアルバス通信機能部と３０８のＩＥＥＥ１３９４シリアルバス通信機能部とは、ＩＥＥＥ１３９４シリアルバスでネットワーク接続された他通信機器とＩＥＥＥ１３９４シリアルバスを介して通信するための機能を持っている。
３０３の通信機器Ｂにある３０５のアイソクロナス・リソース・マネージャ機能部と３０６のサイクル・マスタ機能部の機能が動作しているものとする。
ＩＥＥＥ１３９４シリアルバス規格（非特許文献１参照）によれば、３０５のアイソクロナス・リソース・マネージャ機能部が働く通信機器は、アイソクロナス・リソース・マネージャとしてアイソクロナス・リソースを管理し、３０６のサイクル・マスタ機能部が働く通信機器はサイクル・マスタとしてＩＥＥＥ１３９４シリアルバス規格（非特許文献１参照）で定められた特定間隔でサイクル・スタート・パケットを送信する。また、アイソクロナス転送と呼ばれる同期通信を行う通信機器は前記アイソクロナス・リソース・マネージャからアイソクロナス・リソースを獲得するアイソクロナス・リソース獲得処理を行い、アイソクロナス・リソースを獲得してから前記サイクル・スタート・パケットに合わせてアイソクロナス転送を行う。
３０１の通信機器Ａと３０３の通信機器Ｂが３０９のＩＥＥＥ１３９４シリアルバスＡでネットワーク接続され、３０３の通信機器Ｂと３０７の通信機器Ｃが３１０のＩＥＥＥ１３９４シリアルバスＢでネットワーク接続されているとする。
３１１のアイソクロナス・リソースの獲得処理Ａは、３０１の通信機器Ａがアイソクロナス・リソース・マネージャである３０３の通信機器Ｂからアイソクロナス・リソースを獲得する処理で、３１２のアイソクロナス・リソースの獲得処理Ｂは、３０７の通信機器Ｃがアイソクロナス・リソース・マネージャである３０３の通信機器Ｂからアイソクロナス・リソースを獲得する処理である。
【０００５】
図１２は従来のアイソクロナス転送の例である。
３１６のサイクル・スタート・パケット１と３１７のサイクル・スタート・パケット２と３１８のサイクル・スタート・パケット３と３１９のサイクル・スタート・パケット４と３２０のサイクル・スタート・パケット５とは、サイクル・マスタが送信するパケットで、前記サイクル・マスタとなった通信機器がＩＥＥＥ１３９４シリアルバス規格（非特許文献１参照）で定められた３１５の特定間隔で転送する。
３２１のアイソクロナス・パケットＡ１と３２２のアイソクロナス・パケットＡ２と３２３のアイソクロナス・パケットＡ３とは同じサイズのアイソクロナス・パケットで、３１３のアイソクロナス転送通信周期Ａの通信周期でアイソクロナス・チャンネルＡを使用して転送され、３２４のアイソクロナス・パケットＢ１と３２５のアイソクロナス・パケットＢ２とは同じサイズのアイソクロナス・パケットで、３１４のアイソクロナス転送通信周期Ｂの通信周期でアイソクロナス・チャンネルＢを使用して転送される。
ここでは、３１３のアイソクロナス転送通信周期ＡはＩＥＥＥ１３９４シリアルバス規格（非特許文献１参照）で定められた３１５の特定間隔の２倍であり、３１４のアイソクロナス転送通信周期Ｂは前記特定間隔の２倍である。
【０００６】
従来のネットワークについて図１１と図１２とを用いて説明する。
サイクル・マスタである３０３の通信機器Ｂは、３１５の特定間隔で３１６のサイクル・スタート・パケット１と３１７のサイクル・スタート・パケット２と３１８のサイクル・スタート・パケット３と３１９のサイクル・スタート・パケット４と３２０のサイクル・スタート・パケット５とを送信する。
３０１の通信機器Ａは、３１３のアイソクロナス転送通信周期Ａの通信周期で３２１のアイソクロナス・パケットＡ１、３２２のアイソクロナス・パケットＡ２および３２３のアイソクロナス・パケットＡ３のアイソクロナス転送を行う場合、アイソクロナス・リソース・マネージャである３０３の通信機器Ｂから３１１のアイソクロナス・リソース獲得処理Ａでアイソクロナス・チャンネルＡと前記アイソクロナス・パケットＡ１を転送するのに十分なアイソクロナス帯域を獲得してから、前記３１３のアイソクロナス転送通信周期Ａの通信周期で前記アイソクロナス・チャンネルＡを使用して前記３２１のアイソクロナス・パケットＡ１と前記３２２のアイソクロナス・パケットＡ２と前記３２３のアイソクロナス・パケットＡ３とをアイソクロナス転送する。
３０７の通信機器Ｃは、３１４のアイソクロナス転送通信周期Ｂの通信周期で３２４のアイソクロナス・パケットＢ１および３２５のアイソクロナス・パケットＢ２のアイソクロナス転送を行う場合、アイソクロナス・リソース・マネージャである３０３の通信機器Ｂから３１２のアイソクロナス・リソース獲得処理Ｂでアイソクロナス・リソースとしてアイソクロナス・チャンネルＢと前記アイソクロナス・パケットＢ１を転送するのに十分なアイソクロナス帯域を獲得してから、前記３２４のアイソクロナス転送通信周期Ｂの通信周期で前記アイソクロナス・チャンネルＢを使用して前記３２４のアイソクロナス・パケットＢ１と前記３２５のアイソクロナス・パケットＢ２とをアイソクロナス転送する。
【０００７】
【発明が解決しようとする課題】
しかしながら従来のアイソクロナス・リソースの獲得方法では、ＩＥＥＥ１３９４シリアルバス規格（非特許文献１参照）で定められた特定間隔より長い通信周期でアイソクロナス転送を行なう通信機器が確保したアイソクロナス・リソースは、前記特定間隔毎に見ると使用されないことがありアイソクロナス・リソースが無駄になっている、という問題点があった。
そこで本発明では、このような問題に鑑みてなされたものであり、複数の通信機器をＩＥＥＥ１３９４シリアルバスでネットワーク接続しているシステムにおいて、アイソクロナス・リソースを共有することとアイソクロナス・リソースの無駄な獲得を防止することができるネットワークシステムを提供することを目的とする。
【０００８】
【課題を解決するための手段】
上記課題を解決するため、請求項１記載の通信機器の発明は、ＩＥＥＥ１３９４シリアルバスの通信機能部と、アイソクロナス転送通信周期伝達機能部とを併せ備えることを特徴とするもので、これにより、ＩＥＥＥ１３９４シリアルバスを介して他通信機器に自通信機器のアイソクロナス転送の通信周期を伝達することができるようになる。
請求項２記載の通信機器の発明は、ＩＥＥＥ１３９４シリアルバスの通信機能部とアイソクロナス転送通信周期取得機能部とを併せ備えることを特徴とするもので、これにより、ＩＥＥＥ１３９４シリアルバスを介して他通信機器からアイソクロナス転送の通信周期を取得することができるようになる。
請求項３記載の通信機器の発明は、請求項１記載の通信機器と請求項記載の通信機器とを併せ備えることを特徴とするもので、これにより、ＩＥＥＥ１３９４シリアルバスを介して他通信機器に自通信機器のアイソクロナス転送の通信周期を伝達することと他通信機器からアイソクロナス転送の通信周期を取得することと、ＩＥＥＥ１３９４シリアルバスを介すことなく自通信機器のアイソクロナス転送の通信周期を取得することとができるようになる。
請求項４記載の通信機器の発明は、ＩＥＥＥ１３９４シリアルバスの通信機能部とアイソクロナス転送通信周期伝達機能部とアイソクロナス転送タイミング受領機能部とを併せ備えることを特徴とするもので、これにより、ＩＥＥＥ１３９４シリアルバスを介して他通信機器に自通信機器のアイソクロナス転送の通信周期を伝達することと他通信機器からアイソクロナス転送のタイミングを受領することとができるようになる。
請求項５記載の通信機器の発明は、請求項４記載の通信機器と受領タイミングでのアイソクロナス転送機能部とを併せ備えることを特徴とするもので、これにより、ＩＥＥＥ１３９４シリアルバスを介して他通信機器に自通信機器のアイソクロナス転送の通信周期を伝達することと他通信機器からアイソクロナス転送のタイミングを受領することと受領したアイソクロナス転送のタイミングでアイソクロナス転送を行なうことができるようになる。
請求項６記載の通信機器の発明は、ＩＥＥＥ１３９４シリアルバスの通信機能部とアイソクロナス転送通信周期取得機能部とアイソクロナス転送タイミング通知機能部とを併せ備えることを特徴とするもので、これにより、ＩＥＥＥ１３９４シリアルバスを介して他通信機器からアイソクロナス転送の通信周期を取得することと他通信機器にアイソクロナス転送のタイミングを通知することとができるようになる。
【０００９】
請求項７記載の通信機器の発明は、請求項６記載の通信機器と通信機器グループ分類機能部とを併せ備えることを特徴とするもので、これにより、ＩＥＥＥ１３９４シリアルバスを介して他通信機器からアイソクロナス転送の通信周期を取得することと他通信機器にアイソクロナス転送のタイミングを通知することと通信機器を幾つかのグループに分類することとができるようになる。
また、請求項７記載の通信機器の発明は、請求項５記載の通信機器を併せ備えているから、これにより、ＩＥＥＥ１３９４シリアルバスを介して他通信機器に自通信機器のアイソクロナス転送の通信周期を伝達することとアイソクロナス転送のタイミングを受領することと受領したアイソクロナス転送のタイミングでアイソクロナス転送を行なうこと他通信機器からアイソクロナス転送の通信周期を取得することと他通信機器にアイソクロナス転送のタイミングを通知することと通信機器を幾つかのグループに分類することとができるようになる。
請求項８記載のネットワークシステムの発明は、複数の通信機器がＩＥＥＥ１３９４シリアルバスでネットワーク接続され、かつ前記複数の通信機器に少なくとも２台の請求項５記載の通信機器と少なくとも１台の請求項７記載の通信機器と少なくとも１台のアイソクロナス・リソース・マネージャ機能部を有する通信機器と少なくとも１台のサイクル・マスタ機能部を有する通信機器とを含むネットワークにおいて、請求項７記載の通信機器が、請求項５記載の通信機器のアイソクロナス転送の通信周期を取得することを特徴とするもので、これにより、請求項７記載の通信機器が請求項５記載の通信機器のアイソクロナス転送の通信周期を把握することができるようになる。
請求項９記載のネットワークシステムの発明は、請求項８記載のネットワークシステムにおいて、請求項５記載の通信機器を、請求項７記載の通信機器が取得したアイソクロナス転送の通信周期を基に幾つかのグループに分類することを特徴とするもので、これにより、請求項７記載の通信機器が請求項５記載の通信機器がアイソクロナス転送するために必要なアイソクロナス・リソースを把握することと複数の通信機器でアイソクロナス・リソースを共有することとができるようになる。
【００１０】
請求項１０記載のネットワークシステムの発明は、請求項９記載のネットワークシステムにおいて、アイソクロナス・リソース・マネージャ機能部を有するいずれか１台の通信機器がアイソクロナス・リソース・マネージャとなり、請求項５記載の通信機器がアイソクロナス転送するために必要なアイソクロナス・リソースを、請求項７記載の通信機器がアイソクロナス・リソース・マネージャから一括して獲得することを特徴とするもので、これにより、前記アイソクロナス・リソース獲得処理が複数回行なわれるのを防止することとアイソクロナス・リソースの無駄な獲得を防止することができるようになる。
請求項１１記載のネットワークシステムの発明は、サイクル・マスタ機能部を有するいずれか１台の通信機器がサイクル・マスタとなり、請求項７記載の通信機器が請求項５記載の通信機器にアイソクロナス転送のタイミングを通知することと請求項５記載の通信機器が通知されたアイソクロナス転送のタイミングでアイソクロナス転送を行なうこととを特徴とするもので、これにより、請求項７記載の通信機器が請求項５記載の通信機器のアイソクロナス転送のタイミングを制御することができるようになる。
【００１１】
【発明の実施の形態】
本発明の第１の実施の形態の通信機器について図３を用いて説明する。
２０１の通信機器は、２０２のＩＥＥＥ１３９４シリアルバス通信機能部と２０３のアシンクロナス転送周期伝達機能部とを備えている。
２０２のＩＥＥＥ１３９４シリアルバス通信機能部では、ＩＥＥＥ１３９４シリアルバスでネットワーク接続された他通信機器とＩＥＥＥ１３９４シリアルバスを介して通信するための機能を持っている。
２０３のアシンクロナス転送周期伝達機能部では、例えばＩＥＥＥ１３９４シリアルバス（非特許文献１）で採用されている構成ＲＯＭに自通信機器のアイソクロナス転送の通信周期を表すレジスタを設けて、前記レジスタに自通信機器のアイソクロナス転送の通信周期を記述し、ＩＥＥＥ１３９４シリアルバスで接続されている他通信機器からの読み込みを許可することで、前記他通信機器に自通信機器のアイソクロナス転送の通信周期を伝達する。
上記では自通信機器のアイソクロナス転送の通信周期を伝達するために構成ＲＯＭにレジスタを設けたが、ＩＥＥＥ１３９４シリアルバス（非特許文献１）で採用されている初期レジスタ空間、初期ユニット空間、プライベート空間または初期メモリ空間のいずれかの空間にレジスタを設けても良い。また、前記空間外にパラメータを設けて、前記いずれかの空間に設けられたレジスタに書き込むことによってパラメータが読み出せるようにしても良い。
この実施の形態の通信機器によれば、２０２のＩＥＥＥ１３９４シリアルバスの通信機能部と２０３のアイソクロナス転送通信周期伝達機能部とを併せ備えることにより、ＩＥＥＥ１３９４シリアルバスを介して他通信機器に自通信機器のアイソクロナス転送の通信周期を伝達することができるという効果がある。
【００１２】
本発明の第２の実施の形態の通信機器について図４を用いて説明する。
２０４の通信機器は、２０２のＩＥＥＥ１３９４シリアルバス通信機能部と２０５のアイソクロナス転送通信周期取得機能部とを備えている。
２０５のアイソクロナス転送通信周期取得機能部では、ＩＥＥＥ１３９４シリアルバスで接続された他通信機器の２０３のアイソクロナス転送通信周期伝達機能部が設けた自通信機器のアイソクロナス転送の通信周期を表す例えばレジスタを読み込み、前記他通信機器のアイソクロナス転送の通信周期を取得する。
この実施の形態の通信機器によれば、２０２のＩＥＥＥ１３９４シリアルバス通信機能部と２０５のアイソクロナス転送通信周期取得機能部とを併せ備えることにより、ＩＥＥＥ１３９４シリアルバスを介して他通信機器のアイソクロナス転送の通信周期を取得することができるという効果がある。
【００１３】
本発明の第３の実施の形態の通信機器について図５を用いて説明する。
２０６の通信機器は、２０２のＩＥＥＥ１３９４シリアルバス通信機能部と２０３のアイソクロナス転送通信周期伝達機能部と２０５のアイソクロナス転送通信周期取得機能部とを備えている。
この実施の形態の通信機器によれば、２０２のＩＥＥＥ１３９４シリアルバス通信機能部と２０３のアイソクロナス転送通信周期伝達機能部と２０５のアイソクロナス転送通信周期取得機能部とを併せ備えることにより、ＩＥＥＥ１３９４シリアルバスを介して他通信機器に自通信機器のアイソクロナス転送の通信周期を伝達することと他通信機器からアイソクロナス転送の通信周期を取得することと、ＩＥＥＥ１３９４シリアルバスを介すことなく自通信機器のアイソクロナス転送の通信周期を取得することとができるという効果がある。
【００１４】
本発明の第４の実施の形態の通信機器について図６を用いて説明する。
２０７の通信機器は、２０２のＩＥＥＥ１３９４シリアルバス通信機能部と２０３のアイソクロナス転送通信周期伝達機能部と２０８アイソクロナス転送タイミング受領機能部とを備えている。
２０８のアイソクロナス転送タイミング受領機能部では、例えばＩＥＥＥ１３９４シリアルバス（非特許文献１）で採用されている構成ＲＯＭに自通信機器のアイソクロナス転送のタイミングを表すレジスタを設けて、ＩＥＥＥ１３９４シリアルバスで接続された他通信機器からの書き込みを許可することで、前記他通信機器から自通信機器のアイソクロナス転送のタイミングを受領する。
上記では自通信機器のアイソクロナス転送のタイミングを受領するために構成ＲＯＭにレジスタを設けたが、ＩＥＥＥ１３９４シリアルバス（非特許文献１）で採用されている初期レジスタ空間、初期ユニット空間、プライベート空間または初期メモリ空間のいずれかの空間にレジスタを設けても良い。
また、前記空間外にパラメータを設けて、前記いずれかの空間に設けられたレジスタに書き込むことによってパラメータが影響を受けるようにしても良い。
この実施の形態の通信機器によれば、２０２のＩＥＥＥ１３９４シリアルバス通信機能部と２０３のアイソクロナス転送通信周期伝達機能部と２０８のアイソクロナス転送タイミング受領機能部とを併せ備えることにより、ＩＥＥＥ１３９４シリアルバスを介して他通信機器に自通信機器のアイソクロナス転送の通信周期を伝達することと他通信機器からアイソクロナス転送のタイミングを受領することとができるという効果がある。
【００１５】
本発明の第５の実施の形態の通信機器について図７を用いて説明する。
２０９の通信機器は、２０２のＩＥＥＥ１３９４シリアルバス通信機能部と２０３のアイソクロナス転送通信周期伝達機能部と２０８のアイソクロナス転送タイミング受領機能部と２１０の受領タイミングでのアイソクロナス転送機能部とを備えている。
２１０の受領タイミングでのアイソクロナス転送機能部では、２０８のアイソクロナス転送タイミング受領機能部が設けたアイソクロナス転送のタイミングを表す例えばレジスタの値と、例えばＩＥＥＥ１３９４シリアルバス（非特許文献１）で採用されているＣＹＣＬＥ＿ＴＩＭＥレジスタの値と比較して一致した場合にアイソクロナス転送を行う。
上記では２０８のアイソクロナス転送タイミング受領機能部が設けた自通信機器のアイソクロナス転送のタイミングを表す例えばレジスタの値とＣＹＣＬＥ＿ＴＩＭＥレジスタの値とを比較したが、ＣＹＣＬＥ＿ＴＩＭＥレジスタの代わりにＩＥＥＥ１３９４シリアルバス（非特許文献１）で採用されている初期レジスタ空間、初期ユニット空間、プライベート空間または初期メモリ空間のいずれかの空間のレジスタでも、前記空間外にあるパラメータでも、外部からの入力の値でも、ＩＥＥＥ１３９４シリアルバスで転送されるパケットの数でも良い。
また比較の方法は、一致、以上、以下、論理和、論理積、論理反転またはこれらの組み合わせでも良い。
この実施の形態の通信機器によれば、２０２のＩＥＥＥ１３９４シリアルバス通信機能部と２０３のアイソクロナス転送通信周期伝達機能部と２０８のアイソクロナス転送タイミング受領機能部と２１０の受領タイミングでのアイソクロナス転送機能部とを併せ備えることにより、ＩＥＥＥ１３９４シリアルバスを介して他通信機器に自通信機器のアイソクロナス転送の通信周期を伝達することと他通信機器からアイソクロナス転送のタイミングを受領することと受領したアイソクロナス転送のタイミングでアイソクロナス転送を行なうことができるという効果がある。
【００１６】
本発明の第６の実施の形態の通信機器について図８を用いて説明する。
２１１の通信機器は、２０２のＩＥＥＥ１３９４シリアルバス通信機能部と２０５のアイソクロナス転送通信周期取得機能部と２１２のアイソクロナス転送タイミング通知機能部とを備えている。
２１２のアイソクロナス転送タイミング通知機能部では、ＩＥＥＥ１３９４シリアルバスで接続された他通信機器の２０８のアイソクロナス転送タイミング受領機能部が設けた自通信機器のアイソクロナス転送のタイミングを表す例えばレジスタにアイソクロナス転送を行うタイミングを書き込むことで、前記他通信機器にアイソクロナス転送のタイミングを通知する。
この実施の形態の通信機器によれば、２０２のＩＥＥＥ１３９４シリアルバス通信機能部と２０５のアイソクロナス転送通信周期取得機能部と２１２のアイソクロナス転送タイミング通知機能部とを併せ備えることにより、ＩＥＥＥ１３９４シリアルバスを介して他通信機器からアイソクロナス転送の通信周期を取得することと他通信機器にアイソクロナス転送のタイミングを通知することとができるという効果がある。
【００１７】
本発明の第７の実施の形態の通信機器について図９を用いて説明する。
２１３の通信機器は、２０２のＩＥＥＥ１３９４シリアルバス通信機能部と２０５のアイソクロナス転送通信周期取得機能部と２１２のアイソクロナス転送タイミング通知機能部と２１４のグループ分類機能部とを備えている。
２１４のグループ分類機能部では最初に、２０５のアイソクロナス転送通信周期取得機能部で取得した他通信機器のアイソクロナス転送の通信周期を基に、例えば通信周期が同じ通信機器を集めて１つのグループとする。
次にグループ毎にグループに属する通信機器がお互いに干渉することなくアイソクロナス転送が行えるか確認し、アイソクロナス転送が干渉する場合はアイソクロナス転送が干渉しないようさらにグループ分けを行う。
上記では２０５のアイソクロナス転送通信周期取得機能部で取得した他通信機器のアイソクロナス転送の通信周期を基に通信周期の同じ通信機器を集めてグループ分けしたが、ある一定の値または通信周期の平均値、中央値または最頻値を基にしても良い。また比較の方法は一致、以上、以下、論理和、論理積、論理反転またはこれらの組み合わせでも良い。
さらに２１４のグループ分類機能部では、分類したグループ毎に、例えば２０５のアイソクロナス転送通信周期取得機能部でアイソクロナス転送の通信周期を取得した順番に、かつ同一のアイソクロナス転送期間に複数の通信機器がアイソクロナス転送を行わないように、各通信機器のアイソクロナス転送のタイミングを決める。
【００１８】
上記では２０５のアイソクロナス転送通信周期取得機能部でアイソクロナス転送の通信周期を取得した順番でアイソクロナス転送のタイミングを決めたが、ＩＥＥＥ１３９４シリアルバス（非特許文献１）で通信機器に割り付けられるノードＩＤの順でも、ＩＥＥＥ１３９４シリアルバス（非特許文献１）で採用されている初期レジスタ空間、初期ユニット空間、プライベート空間または初期メモリ空間のいずれかの空間のレジスタの値の順でも、前記空間外にあるパラメータの順でも、外部からの入力の値の順でも良い。
この実施の形態の通信機器によれば、２０２ＩＥＥＥ１３９４シリアルバス通信機能部と２０５アイソクロナス転送通信周期取得機能部と２１２アイソクロナス転送タイミング通知機能部と２１４グループ分類機能部とを併せ備えることにより、ＩＥＥＥ１３９４シリアルバスを介して他通信機器からアイソクロナス転送の通信周期を取得することと他通信機器にアイソクロナス転送のタイミングを通知することと通信機器を幾つかのグループに分類することとができるという効果がある。
【００１９】
本発明の第８の実施の形態の通信機器について図１０を用いて説明する。
２１５の通信機器は、２０２のＩＥＥＥ１３９４シリアルバス通信機能部と２０３のアイソクロナス転送通信周期伝達機能部と２０５のアイソクロナス転送通信周期取得機能部と２０８のアイソクロナス転送タイミング受領機能部と２１０の受領タイミングでのアイソクロナス転送機能部と２１２のアイソクロナス転送タイミング通知機能部と２１４グループ分類機能部とを備える。
この実施の形態の通信機器によれば、２０２のＩＥＥＥ１３９４シリアルバス通信機能部と２０３のアイソクロナス転送通信周期伝達機能部と２０５のアイソクロナス転送通信周期取得機能部と２０８のアイソクロナス転送タイミング受領機能部と２１０の受領タイミングでのアイソクロナス転送機能部と２１２のアイソクロナス転送タイミング通知機能部と２１４のグループ分類機能部とを併せ備えることにより、ＩＥＥＥ１３９４シリアルバスを介して他通信機器に自通信機器のアイソクロナス転送の通信周期を伝達することと他通信機器からアイソクロナス転送の通信周期を取得することと他通信機器からアイソクロナス転送のタイミングを受領することと受領したアイソクロナス転送のタイミングでアイソクロナス転送を行なうことと他通信機器にアイソクロナス転送のタイミングを通知することと通信機器を幾つかのグループに分類することと、ＩＥＥＥ１３９４シリアルバスを介すことなく自通信機器のアイソクロナス転送の通信周期を取得することと自通信機器からのアイソクロナス転送のタイミングを受領することとができるという効果がある。
【００２０】
図１は本実施の形態のネットワークシステムである。
１０１の通信機器Ａは、１０２ＩＥＥＥ１３９４シリアルバス通信機能部と１０３のアイソクロナス転送通信周期伝達機能部と１０４のアイソクロナス転送タイミング受領機能部と１０５の受領タイミングでのアイソクロナス転送機能部とを備えていて、本発明の第５の実施の形態の通信機器と同機能を備えている。
１０６の通信機器Ｂは、１０７ＩＥＥＥ１３９４シリアルバス通信機能部と１０８のアイソクロナス転送通信周期伝達機能部と１０９のアイソクロナス転送通信周期取得機能部と１１０のアイソクロナス転送タイミング受領機能部と１１１の受領タイミングでのアイソクロナス転送機能部と１１２のアイソクロナス転送タイミング通知機能部と１１３のグループ分類機能部とを備えていて、本発明の第５の実施の形態の通信機器の機能と本発明の第７の実施の形態の通信機器の機能とを併せ備えている。
１１４の通信機器Ｃは、１１５のＩＥＥＥ１３９４シリアルバス通信機能部とＩＥＥＥ１３９４シリアルバス規格（非特許文献１参照）で定められた１１６のアイソクロナス・リソース・マネージャ機能部とＩＥＥＥ１３９４シリアルバス規格（非特許文献１参照）で定められた１１７のサイクル・マスタ機能部とで構成されている。
【００２１】
１０２のＩＥＥＥ１３９４シリアルバス通信機能部と１０７のＩＥＥＥ１３９４シリアルバス通信機能部と１１５のＩＥＥＥ１３９４シリアルバス通信機能部とは２０２のＩＥＥＥ１３９４シリアルバス通信機能部と同機能で、１０３のアイソクロナス転送通信周期伝達機能部と１０８のアイソクロナス転送通信周期伝達機能部とは２０３のアイソクロナス転送通信周期伝達機能部と同機能で、１０４のアイソクロナス転送タイミング受領機能部と１１０のアイソクロナス転送タイミング受領機能部とは２０８のアイソクロナス転送タイミング受領機能部と同機能で、１０５の受領タイミングでのアイソクロナス転送機能部と１１１の受領タイミングでのアイソクロナス転送機能部とは２１０の受領タイミングでのアイソクロナス転送機能部と同機能で、１０９のアイソクロナス転送通信周期取得機能部は２０５アイソクロナス転送通信周期取得機能部と同機能で、１１２のアイソクロナス転送タイミング通知機能部は２１２のアイソクロナス転送タイミング通知機能部と同機能で、１１３のグループ分類機能部は２１４のグループ分類機能部と同機能である。
１０１の通信機器Ａと１０６の通信機器Ｂが１１８のＩＥＥＥ１３９４シリアルバスＡでネットワーク接続され、１０６の通信機器Ｂと１１４の通信機器Ｃが１１９のＩＥＥＥ１３９４シリアルバスＢでネットワーク接続され、前記１１４の通信機器Ｃにおいて、１１６のアイソクロナス・リソース・マネージャ機能部と１１７のサイクル・マスタ機能部の機能が動作しているものとする。
１２０のアイソクロナス転送周期取得処理は１０６の通信機器Ｂの１０９のアイソクロナス転送通信周期取得機能部が１０１の通信機器Ａの１０３のアイソクロナス転送周期伝達機能部からアイソクロナス転送通信周期を取得する処理で、１２１のアイソクロナス・リソースの獲得処理は前記１０６の通信機器Ｂがアイソクロナス・リソース・マネージャである１１４の通信機器Ｃからアイソクロナス・リソースを獲得する処理で、１２２のアイソクロナス転送タイミング通知処理は前記１０６の通信機器Ｂの１１２のアイソクロナス転送周期タイミング通知機能部が前記１０１の通信機器Ａの１０４のアイソクロナス転送タイミング受領機能部にアイソクロナス転送のタイミングを通知する処理である。
【００２２】
図２は本実施の形態におけるアイソクロナス転送の例である。
１２６のサイクル・スタート・パケット１と１２７のサイクル・スタート・パケット２と１２８のサイクル・スタート・パケット３と１２９のサイクル・スタート・パケット４と１３０サイクル・スタート・パケット５とはサイクル・マスタが送信するパケットで、前記サイクル・マスタとなった通信機器がＩＥＥＥ１３９４シリアルバス規格（非特許文献１参照）で定められた１２５の特定間隔で転送する。
１３１のアイソクロナス・パケットＡ１と１３２のアイソクロナス・パケットＡ２と１３３のアイソクロナス・パケットＡ３とは、アイソクロナス・チャンネルＡを獲得したグループに属する通信機器が１２３のアイソクロナス転送通信周期Ａで転送し、１３４のアイソクロナス・パケットＢ１と１３５のアイソクロナス・パケットＢ２とはアイソクロナス・チャンネルＡを獲得したグループに属する通信機器が１２４のアイソクロナス転送通信周期Ｂで転送する。
ここでは１２３のアイソクロナス転送通信周期ＡはＩＥＥＥ１３９４シリアルバス規格（非特許文献１参照）で定められた１３５の特定間隔の２倍であり、１２４のアイソクロナス転送通信周期Ｂは前記１３５の特定間隔の２倍である。
上記では１２３のアイソクロナス転送通信周期Ａと１２４のアイソクロナス転送通信周期ＢとをＩＥＥＥ１３９４シリアルバス規格（非特許文献１参照）で定められた１３５の特定間隔の２倍としたが、アイソクロナス転送周期は前記１３５の特定間隔の整数倍であれば良く、またそれぞれのアイソクロナス転送通信周期は別々でも良い。
【００２３】
本発明の第８〜第１１の実施の形態のネットワークについて図１と図２とを用いて説明する。
第８の実施の形態のネットワークシステムによれば、１０６の通信機器Ｂは１０９のアイソクロナス転送通信周期取得機能部で、１１８のＩＥＥＥ１３９４シリアルバスＡを介して１２０のアイソクロナス転送周期取得処理で１０１の通信機器Ａの１０３のアイソクロナス転送通信周期伝達機能部から１２３のアイソクロナス転送通信周期Ａを取得する。
また、自通信機器である前記１０６の通信機器Ｂの１０８のアイソクロナス転送周期伝達機能部から１２４のアイソクロナス転送通信周期Ｂを取得する。
この実施の形態のネットワークシステムによれば、１０６の通信機器Ｂは１０９のアイソクロナス転送通信周期取得機能部で１０３のアイソクロナス転送通信周期伝達機能部を備えた１０１の通信機器Ａと１０８のアイソクロナス転送周期伝達機能部を備えた前記１０６の通信機器Ｂからアイソクロナス転送通信周期を取得することにより、１０９のアイソクロナス転送通信周期取得機能部を備える前記１０６の通信機器Ｂは１０３のアイソクロナス転送通信周期伝達機能部を備えた前記１０１の通信機器Ａと１０８のアイソクロナス転送通信周期伝達機能部を備えた前記１０６の通信機器Ｂとのアイソクロナス転送の通信周期を把握することができるという効果がある。
【００２４】
第９の実施の形態のネットワークシステムによれば、１０６の通信機器Ｂは１１３のグループ分類機能部で、把握した１０１の通信機器Ａの１２３アイソクロナス転送通信周期Ａと自通信機器である前記１０６の通信機器Ｂの１２４のアイソクロナス転送通信周期Ｂとから、両者のアイソクロナス転送通信周期が同じことを認識して前記１０１の通信機器Ａと前記１０６の通信機器Ｂとを同一のグループに分類し、前記１０１の通信機器Ａと前記１０６の通信機器Ｂとのアイソクロナス転送が相互に干渉しないことを確認する。
また、１０１の通信機器Ａと１０６の通信機器Ｂとを同一のグループに分類できたことから、両者がアイソクロナス転送を行うのに最低限必要なアイソクロナス・リソースは、アイソクロナス・チャンネルが１つと、１３１のアイソクロナス・パケットＡ１または１３４のアイソクロナス・パケットＢ１のどちらか大きいアイソクロナス・パケット転送するのに十分なアイソクロナス帯域とであることを認識する。
次に、１０６の通信機器Ｂは１１３のグループ分類機能部で、１０１の通信機器Ａの１２３のアイソクロナス転送通信周期Ａと１０６の通信機器Ｂの１２４のアイソクロナス転送通信周期ＢとがＩＥＥＥ１３９４シリアルバス規格（非特許文献１参照）で定められた１３５の特定間隔の２倍であることから、ある特定の時点からサイクル・マスタが送信するサイクル・スタート・パケットを数えて、前記サイクル・スタート・パケットが偶数の場合を前記１０１の通信機器Ａの１３６のアイソクロナス転送タイミングＡとし、奇数の場合を前記１０６の通信機器Ｂの１３７のアイソクロナス転送タイミングＢとする。
【００２５】
この実施の形態のネットワークシステムによれば、１０６の通信機器Ｂは１１３のグループ分類機能部で１０３のアイソクロナス転送通信周期伝達機能部を備えた１０１の通信機器Ａと１０８のアイソクロナス転送通信周期伝達機能部を備えた前記１０６の通信機器Ｂからそれぞれ取得したアイソクロナス転送通信周期を基に１０１の通信機器Ａと前記１０６の通信機器Ｂとを適切にグループに分けることにより、１１３のグループ分類機能部を備えた前記１０６の通信機器Ｂは１０３のアイソクロナス転送通信周期伝達機能部を備えた前記１０１の通信機器Ａと１０８のアイソクロナス転送通信周期伝達機能部を備えた前記１０６の通信機器Ｂとがアイソクロナス転送を行うのに最低限必要なアイソクロナス・リソースを把握することとアイソクロナス・リソースを共有させることとができるという効果がある。
【００２６】
第１０の実施の形態のネットワークシステムによれば、１０６の通信機器Ｂは１０７のＩＥＥＥ１３９４シリアルバス通信機能部で、１０３のアイソクロナス転送通信周期伝達機能部を備えた１０１の通信機器Ａと１０８のアイソクロナス転送通信周期伝達機能部を備えた前記１０６の通信機器Ｂとがアイソクロナス転送を行うのに最低限必要なアイソクロナス・リソースを、１１９のＩＥＥＥ１３９４シリアルバスＢを介して１２１のアイソクロナス・リソース獲得処理でアイソクロナス・リソース・マネージャである１１４の通信機器Ｃから獲得する。
この実施の形態のネットワークシステムによれば、１０６の通信機器Ｂが１０３のアイソクロナス転送通信周期伝達機能部を備えた１０１の通信機器Ａと１０８のアイソクロナス転送通信周期伝達機能部を備えた前記１０６の通信機器Ｂとがアイソクロナス転送を行うのに最低限必要なアイソクロナス・リソースを一括してアイソクロナス・リソース・マネージャから獲得することにより、１０３のアイソクロナス転送通信周期伝達機能部を備えた前記１０１の通信機器Ａと１０８アイソクロナス転送通信周期伝達機能部を備えた前記１０６の通信機器Ｂとの２つの機器がそれぞれアイソクロナス・リソース獲得処理を行うのを防止することとアイソクロナス・リソースの無駄な獲得することを防止することができるという効果がある。
【００２７】
第１１の実施の形態のネットワークシステムによれば、１０６の通信機器Ｂは１１２のアイソクロナス転送周期タイミング通知機能部で、１１８のＩＥＥＥ１３９４シリアルバスＡを介して１２２のアイソクロナス転送タイミング通知処理で１０１の通信機器Ａの１０４のアイソクロナス転送タイミング受領機能部に１３６のアイソクロナス転送タイミングＡを通知し、自通信機器である前記１０６の通信機器Ｂの１１０のアイソクロナス転送タイミング受領機能部に１３７のアイソクロナス転送タイミングＢを通知する。
１０１の通信機器Ａは、１０４のアイソクロナス転送タイミング受領機能部で受領した１３６のアイソクロナス転送タイミングＡで１０５の受領タイミングでのアイソクロナス転送機能部で、１１４の通信機器Ｃが送信するサイクル・スタート・パケットに合わせてアイソクロナス転送を行なう。
同様に、１０６の通信機器Ｂは、１１０のアイソクロナス転送タイミング受領機能部で受領した１３７のアイソクロナス転送タイミングＢで１１１の受領タイミングでのアイソクロナス転送機能部で、前記サイクル・スタート・パケットに合わせてアイソクロナス転送を行う。
この実施の形態のネットワークシステムによれば、１１２のアイソクロナス転送周期タイミング通知機能部を備えた１０６の通信機器Ｂが１０４のアイソクロナス転送タイミング受領機能部を備える１０１の通信機器Ａと１１０のアイソクロナス転送タイミング受領機能部を備える前記１０６の通信機器Ｂとにアイソクロナス転送タイミングを通知し、前記１０１の通信機器Ａは受領した１３６のアイソクロナス転送タイミングＡで１０５の受領タイミングでのアイソクロナス転送機能部がアイソクロナス転送を行ない、前記１０６の通信機器Ｂは受領した１３７のアイソクロナス転送タイミングＢで１１１の受領タイミングでのアイソクロナス転送機能部がアイソクロナス転送を行うことにより、１１２のアイソクロナス転送周期タイミング通知機能部を備えた前記１０６の通信機器Ｂが１０４のアイソクロナス転送タイミング受領機能部を備える前記１０１通信機器Ａと１１０のアイソクロナス転送タイミング受領機能部を備える前記１０６の通信機器Ｂとのアイソクロナス転送のタイミングを制御することができるという効果がある。
【００２８】
【発明の効果】
以上述べたように、請求項１記載の通信機器の発明は、ＩＥＥＥ１３９４シリアルバスの通信機能部と、アイソクロナス転送通信周期伝達機能部とを併せ備えることを特徴とするもので、これにより、ＩＥＥＥ１３９４シリアルバスを介して他通信機器に自通信機器のアイソクロナス転送の通信周期を伝達することができるようになるという効果が得られる。
請求項２記載の通信機器の発明は、ＩＥＥＥ１３９４シリアルバスの通信機能部とアイソクロナス転送通信周期取得機能部とを併せ備えることを特徴とするもので、これにより、ＩＥＥＥ１３９４シリアルバスを介して他通信機器からアイソクロナス転送の通信周期を取得することができるようになるという効果が得られる。
請求項３記載の通信機器の発明は、請求項１記載の通信機器と請求項記載の通信機器とを併せ備えることを特徴とするもので、これにより、ＩＥＥＥ１３９４シリアルバスを介して他通信機器に自通信機器のアイソクロナス転送の通信周期を伝達することと他通信機器からアイソクロナス転送の通信周期を取得することと、ＩＥＥＥ１３９４シリアルバスを介すことなく自通信機器のアイソクロナス転送の通信周期を取得することとができるようになるという効果が得られる。
請求項４記載の通信機器の発明は、ＩＥＥＥ１３９４シリアルバスの通信機能部とアイソクロナス転送通信周期伝達機能部とアイソクロナス転送タイミング受領機能部とを併せ備えることを特徴とするもので、これにより、ＩＥＥＥ１３９４シリアルバスを介して他通信機器に自通信機器のアイソクロナス転送の通信周期を伝達することと他通信機器からアイソクロナス転送のタイミングを受領することとができるようになるという効果が得られる。
請求項５記載の通信機器の発明は、請求項４記載の通信機器と受領タイミングでのアイソクロナス転送機能部とを併せ備えることを特徴とするもので、これにより、ＩＥＥＥ１３９４シリアルバスを介して他通信機器に自通信機器のアイソクロナス転送の通信周期を伝達することと他通信機器からアイソクロナス転送のタイミングを受領することと受領したアイソクロナス転送のタイミングでアイソクロナス転送を行なうことができるようになるという効果が得られる。
【００２９】
請求項６記載の通信機器の発明は、ＩＥＥＥ１３９４シリアルバスの通信機能部とアイソクロナス転送通信周期取得機能部とアイソクロナス転送タイミング通知機能部とを併せ備えることを特徴とするもので、これにより、ＩＥＥＥ１３９４シリアルバスを介して他通信機器からアイソクロナス転送の通信周期を取得することと他通信機器にアイソクロナス転送のタイミングを通知することとができるようになるという効果が得られる。
請求項７記載の通信機器の発明は、請求項６記載の通信機器と通信機器グループ分類機能部とを併せ備えることを特徴とするもので、これにより、ＩＥＥＥ１３９４シリアルバスを介して他通信機器からアイソクロナス転送の通信周期を取得することと他通信機器にアイソクロナス転送のタイミングを通知することと通信機器を幾つかのグループに分類することとができるようになるという効果が得られる。
また、請求項７記載の通信機器の発明は、請求項５記載の通信機器を併せ備えているから、これにより、ＩＥＥＥ１３９４シリアルバスを介して他通信機器に自通信機器のアイソクロナス転送の通信周期を伝達することとアイソクロナス転送のタイミングを受領することと受領したアイソクロナス転送のタイミングでアイソクロナス転送を行なうこと他通信機器からアイソクロナス転送の通信周期を取得することと他通信機器にアイソクロナス転送のタイミングを通知することと通信機器を幾つかのグループに分類することとができるようになるという効果が得られる。
請求項８記載のネットワークシステムの発明は、複数の通信機器がＩＥＥＥ１３９４シリアルバスでネットワーク接続され、かつ前記複数の通信機器に少なくとも２台の請求項５記載の通信機器と少なくとも１台の請求項７記載の通信機器と少なくとも１台のアイソクロナス・リソース・マネージャ機能部を有する通信機器と少なくとも１台のサイクル・マスタ機能部を有する通信機器とを含むネットワークにおいて、請求項７記載の通信機器が、請求項５記載の通信機器のアイソクロナス転送の通信周期を取得することを特徴とするもので、これにより、請求項７記載の通信機器が請求項５記載の通信機器のアイソクロナス転送の通信周期を把握することができるようになるという効果が得られる。
【００３０】
請求項９記載のネットワークシステムの発明は、請求項８記載のネットワークシステムにおいて、請求項５記載の通信機器を、請求項７記載の通信機器が取得したアイソクロナス転送の通信周期を基に幾つかのグループに分類することを特徴とするもので、これにより、請求項７記載の通信機器が請求項５記載の通信機器がアイソクロナス転送するために必要なアイソクロナス・リソースを把握することと複数の通信機器でアイソクロナス・リソースを共有することとができるようになるという効果が得られる。
請求項１０記載のネットワークシステムの発明は、請求項９記載のネットワークシステムにおいて、アイソクロナス・リソース・マネージャ機能部を有するいずれか１台の通信機器がアイソクロナス・リソース・マネージャとなり、請求項５記載の通信機器がアイソクロナス転送するために必要なアイソクロナス・リソースを、請求項７記載の通信機器がアイソクロナス・リソース・マネージャから一括して獲得することを特徴とするもので、これにより、前記アイソクロナス・リソース獲得処理が複数回行なわれるのを防止することとアイソクロナス・リソースの無駄な獲得を防止することができるようになるという効果が得られる。
請求項１１記載のネットワークシステムの発明は、サイクル・マスタ機能部を有するいずれか１台の通信機器がサイクル・マスタとなり、請求項７記載の通信機器が請求項５記載の通信機器にアイソクロナス転送のタイミングを通知することと請求項５記載の通信機器が通知されたアイソクロナス転送のタイミングでアイソクロナス転送を行なうこととを特徴とするもので、これにより、請求項７記載の通信機器が請求項５記載の通信機器のアイソクロナス転送のタイミングを制御することができるようになるという効果が得られる。
【図面の簡単な説明】
【図  １】ネットワークシステムの構成例を示す図である。
【図  ２】アシンクロナス転送の例を示す図である。
【図  ３】通信機器の構成例１を示す図である。
【図  ４】通信機器の構成例２を示す図である。
【図  ５】通信機器の構成例３を示す図である。
【図  ６】通信機器の構成例４を示す図である。
【図  ７】通信機器の構成例５を示す図である。
【図  ８】通信機器の構成例６を示す図である。
【図  ９】通信機器の構成例７を示す図である。
【図  １０】通信機器の構成例８を示す図である。
【図  １１】従来のネットワークシステムの構成例を示す図である。
【図  １２】従来のアシンクロナス転送の例を示す図である。
【符号の説明】
１０１  通信機器
１０２  通信機器ＡのＩＥＥＥ１３９４シリアルバス通信機能部
１０３  通信機器Ａのアイソクロナス転送通信周期伝達機能部
１０４  通信機器Ａのアイソクロナス転送タイミング受領機能部
１０５  通信機器Ａの受領タイミングでのアイソクロナス転送機能部
１０６  通信機器Ｂ
１０７  通信機器ＢのＩＥＥＥ１３９４シリアルバス通信機能部
１０８  通信機器Ｂのアイソクロナス転送通信周期伝達機能部
１０９  通信機器Ｂのアイソクロナス転送通信周期取得機能部
１１０  通信機器Ｂのアイソクロナス転送タイミング受領機能部
１１１  通信機器Ｂの受領タイミングでのアイソクロナス転送機能部
１１２  通信機器Ｂのアイソクロナス転送タイミング通知機能部
１１３  通信機器Ｂのグループ分類機能部
１１４  通信機器Ｃ
１１５  通信機器ＣのＩＥＥＥ１３９４シリアルバス通信機能部
１１６  通信機器Ｃのアイソクロナス・リソース・マネージャ機能部
１１７  通信機器Ｃのサイクル・マスタ機能部
１１８  ＩＥＥＥ１３９４シリアルバスＡ
１１９  ＩＥＥＥ１３９４シリアルバスＢ
１２０  アイソクロナス転送通信周期の取得処理
１２１  アイソクロナス・リソースの獲得処理
１２２  アイソクロナス転送タイミングの通知処理
１２３  アイソクロナス転送通信周期Ａ
１２４  アイソクロナス転送通信周期Ｂ
１２５  特定周期
１２６  サイクル・スタート・パケット１
１２７  サイクル・スタート・パケット２
１２８  サイクル・スタート・パケット３
１２９  サイクル・スタート・パケット４
１３０  サイクル・スタート・パケット５
１３１  アイソクロナス・パケットＡ１
１３２  アイソクロナス・パケットＡ２
１３３  アイソクロナス・パケットＡ３
１３４  アイソクロナス・パケットＢ１
１３５  アイソクロナス・パケットＢ２
１３６  アイソクロナス転送タイミングＡ
１３７  アイソクロナス転送タイミングＢ
２０１、２０４、２０６、２０７、２０９、２１１、２１３、２１５  通信機器
２０２  ＩＥＥＥ１３９４シリアルバス通信機能部
２０３  アイソクロナス転送通信周期伝達機能部
２０５  アイソクロナス転送通信周期取得機能部
２０８  アイソクロナス転送タイミング受領機能部
２１０  受領タイミングでのアイソクロナス転送機能部
２１２  アイソクロナス転送タイミング通知機能部
２１４  グループ分類機能部
３０１  通信機器Ａ
３０２  通信機器ＡのＩＥＥＥ１３９４シリアルバス通信機能部
３０３  通信機器Ｂ
３０４  通信機器ＢのＩＥＥＥ１３９４シリアルバス通信機能部
３０５  通信機器Ｂのアイソクロナス・リソース・マネージャ機能部
３０６  通信機器Ｂのサイクル・マスタ機能部
３０７  通信機器Ｃ
３０８  通信機器ＣのＩＥＥＥ１３９４シリアルバス通信機能部
３０９  ＩＥＥＥ１３９４シリアルバスＡ
３１０  ＩＥＥＥ１３９４シリアルバスＢ
３１１  アイソクロナス・リソースの獲得処理Ａ
３１２  アイソクロナス・リソースの獲得処理Ｂ
３１３  アイソクロナス転送通信周期Ａ
３１４  アイソクロナス転送通信周期Ｂ
３１５  特定周期
３１６  サイクル・スタート・パケット１
３１７  サイクル・スタート・パケット２
３１８  サイクル・スタート・パケット３
３１９  サイクル・スタート・パケット４
３２０  サイクル・スタート・パケット５
３２１  アイソクロナス・パケットＡ１
３２２  アイソクロナス・パケットＡ２
３２３  アイソクロナス・パケットＡ３
３２４  アイソクロナス・パケットＢ１
３２５  アイソクロナス・パケットＢ２
【図１】
2004193797.tif 000003
【図２】
2004193797.tif 000004
【図３】
2004193797.tif 000005
【図４】
2004193797.tif 000006
【図５】
2004193797.tif 000007
【図６】
2004193797.tif 000008
【図７】
2004193797.tif 000009
【図８】
2004193797.tif 000010
【図９】
2004193797.tif 000011
【図１０】
2004193797.tif 000012
【図１１】
2004193797.tif 000013
【図１２】
2004193797.tif 000014